(57)【要約】【課題】  視聴端末装置としてパーソナルコンピュータと携帯電話機とが使用可能とし、システムの操作性や柔軟性を改善した動画像配信システムを提供する。【解決手段】  配信する動画像ごとに予め設定された固有のアクセス用チャンネル番号を入力して、配信管理サーバ３に動画像の配信要求を行う視聴者の視聴端末装置１ａと、動画像のデータを蓄積する映像蓄積サーバ６と、予め設定された複数のチャンネル番号ごとに、アクセス用チャンネル番号と、このアクセス用チャンネル番号が設定された動画像のデータを蓄積する映像蓄積サーバ６のＵＲＬを記憶した配信管理データテーブル３Ｄ２を備え、視聴端末装置１ａからの配信要求に対して動画像の配信制御を行う配信管理サーバ３と、配信管理サーバ３をアクセスして、配信管理データテーブル３Ｄ２に記憶されるアクセス用チャンネル番号を入力して、この入力したアクセス用チャンネル番号を配信管理データテーブル３ｄ２に登録するチャンネル番号書き換え手段を有する端末装置１１等から構成される。【選択図】    図１
2007006431.tif 000002
【特許請求の範囲】
【請求項１】
配信する動画像ごとに予め設定された固有のアクセス用チャンネル番号を入力して、配信管理サーバに前記動画像の配信要求を行う視聴者の視聴端末装置と、
前記動画像のデータを蓄積する映像蓄積サーバと、
予め設定された複数のチャンネル番号ごとに、前記アクセス用チャンネル番号と、前記アクセス用チャンネル番号が設定された動画像のデータを蓄積する前記映像蓄積サーバのＵＲＬを記憶した配信管理データテーブルを備え、前記視聴端末装置からの配信要求に対して前記動画像の配信制御を行う前記配信管理サーバと、
前記配信管理サーバをアクセスして、前記配信管理データテーブルに記憶される前記アクセス用チャンネル番号を入力して、前記入力したアクセス用チャンネル番号を前記配信管理データテーブルに登録するチャンネル番号書き換え手段を有する端末装置と、
を備えていることを特徴とする動画像配信システム。
【請求項２】
前記チャンネル番号書き換え手段により前記配信管理データテーブルに記憶されるアクセス用チャンネル番号は、電話番号から構成されることを特徴とする請求項１に記載の動画像配信システム。
【請求項３】
前記チャンネル番号書き換え手段により前記配信管理データテーブルに記憶されるアクセス用チャンネル番号は、電話番号の一部、または電話番号を含む識別番号から構成されることを特徴とする請求項１に記載の動画像配信システム。
【請求項４】
前記視聴端末装置は、インターネット接続機能と動画像再生機能を備えた携帯電話機から構成されることを特徴とする請求項１に記載の動画像配信システム。
【発明の詳細な説明】
【技術分野】
【０００１】  本発明は、インターネットを利用して動画像、特にストリーミング映像等の動画像を配信するシステムに関するものである。
【背景技術】
【０００２】  近年のインターネットを利用した情報通信技術の発展に伴い、インターネットに接続されたパーソナルコンピュータから構成される視聴端末装置を操作して、音声を含む動画像データを蓄積（記憶）した映像蓄積サーバにアクセスして、これら動画像データの配信要求と視聴を行うストリーミング映像の配信システムが多数提案され、各分野において実用化されている。また、携帯電話機に対しても音声を含む動画像を配信することが実用化されている。【０００３】  このようなストリーミング映像や動画像（以下、動画像という）の配信システムにおいて、配信する動画像は所定の配信期間が終了すると、新規な動画像データを映像蓄積サーバにアップロードして配信することが行われている。また、予め１日の配信時間割（配信番組）表を設定したＷｅｂページで公開し、視聴者がこの配信番組表の中で指定した動画像を視聴者の視聴端末装置に配信するサービスも提案されている。【０００４】  一方、視聴者に対して動画像の配信を一つのビジネスとして実施するシステムの一例として、本出願人は、下記の特許文献１に記載の発明を提案した。【０００５】
【特許文献１】  特開２００５−１０２０９５号公報
【０００６】  特許文献１に記載の発明は、視聴者に配信するストリーミング映像ごとに、予め固有のチャンネル番号を設定しておき、視聴者が配信要求を行うときには、視聴端末装置からこの固有のチャンネル番号を含む映像識別番号（アクセス用チャンネル番号）を入力して配信管理サーバに配信要求を行う。そして、配信管理サーバは、視聴端末装置から取得したアクセス用チャンネル番号からチャンネル番号を抽出し、このチャンネル番号に対応して予め登録されているストリーミング映像を蓄積している映像蓄積サーバのＵＲＬを求めることにより、視聴端末装置にストリーミング映像を配信するようにしたシステムである。
【発明の開示】
【発明が解決しようとする課題】
【０００７】  特許文献１に記載の発明のように、動画像の配信を一つのビジネスとして構築した場合、配信管理サーバが備えているデータベースであって、上記した予め固有のチャンネル番号ごとに設定された固有のアクセス用チャンネル番号を登録したデータベースについて、次のようなデータ登録手段を採用すると、配信依頼者からの多用な配信要求に迅速に対応することができる動画像配信システムを構築することが可能になる。
すなわち、アクセス用チャンネル番号をデータベースに登録、あるいは書き換えの操作に配信依頼者の負担が生じない手段を備えると、配信依頼者から短期間の配信、例えば、１週間ごとに異なる動画像を配信するニーズに対応することが可能になり、ビジネスの分野が拡大する。【０００８】    また、最近の携帯電話機における動画像の撮像と再生技術の発展は目覚ましい。このため、動画像配信システムの視聴端末装置として携帯電話機を使用する場合、システムの操作性や柔軟性を改善すると、動画像配信システムの視聴端末装置として携帯電話機が大いに使用され、動画像配信のビジネス分野がさらに拡大することが期待できる。【０００９】  そこで、本発明の目的は、従来の動画像配信システムを改善することにより、視聴端末装置としてパーソナルコンピュータと携帯電話機とが使用可能とすると共に、システムの操作性や柔軟性をさらに改善した動画像配信システムを提供することにある。
【課題を解決するための手段】
【００１０】  本発明は、配信する動画像ごとに予め設定された固有のアクセス用チャンネル番号を入力して、配借管理サーバに前記動画像の配信要求を行う視聴者の視聴端末装置と、
前記動画像のデータを蓄積する映像蓄積サーバと、
予め設定された複数のチャンネル番号ごとに、前記アクセス用チャンネル番号と、前記アクセス用チャンネル番号が設定された動画像のデータを蓄積する前記映像蓄積サーバのＵＲＬを記憶した配信管理データテーブルを備え、前記視聴端末装置からの配信要求に対して前記動画像の配信制御を行う前記配信管理サーバと、
前記配信管理サーバをアクセスして、前記配信管理データテーブルに記憶される前記アクセス用チャンネル番号を入力して、前記入力したアクセス用チャンネル番号を前記配信管理データテーブルに登録するチャンネル番号書き換え手段を有する端末装置と、
を備えている動画像配信システムである。【００１１】  さらに、本発明は、前記チャンネル番号書き換え手段により前記配信管理データテーブルに記憶されるアクセス用チャンネル番号は、電話番号から構成されている動画像配信システムである。【００１２】  さらに、本発明は、前記チャンネル番号書き換え手段により前記配信管理データテーブルに記憶されるアクセス用チャンネル番号は、電話番号の一部、または電話番号を含む識別番号から構成されている動画像配信システムである。【００１３】  さらに、本発明は、前記視聴端末装置は、インターネット接続機能と動画像再生機能を備えた携帯電話機から構成されている動画像配信システムである。【００１４】  なお、上記した動画像とは、ストリーミング映像を含む動画像であって、さらに音声を含む動画像であってもよい。具体的には、個人を含む配信依頼者（番組登録者）が撮像した動画像、あるいは番組登録者に所有権がある動画像である。具体的な例としては、企業や各種団体等のＰＲ用の動画像、各種学会の研究発表会や講演会等を撮像した動画像、学校や学習塾等における授業や練習問題の回答例を説明するための教育用動画像、個人が撮像した家族等の動画像、さらに、映画、各種スポーツの映像、カラオケの映像等、あらゆる分野の音声を含む動画像を対象とすることができる。さらに、本発明においては、カメラ付き携帯電話機で撮像しＭＰＥＧ−４（Ｍｏｖｉｎｇ  Ｐｉｃｔｕｒｅ  Ｅｘｐｅｒｔｓ  Ｇｒｏｕｐ  ｐｈａｓｅ  ４）等により画像圧縮された動画像も含む。
【発明の効果】
【００１５】  動画像の配信依頼者となる番組登録者に対して、本システムで設定しているチャンネル番号をリースすることを可能とした本発明の動画像配信システムは、次のような効果を発揮することができる。【００１６】  （１）視聴端末装置からの配信要求に対して、配信制御を行なうための基本的なデータベースとなる配信管理データテーブルにチャンネル番号と関連付けして記憶されるアクセス用チャンネル番号を、インターネットに接続された代理店の端末装置等から登録、あるいは書き換え可能にしている。これにより、本システムの管理運営を行う配信管理業者は、本システムで設定しているチャンネル番号を数日〜１週間という短期間について、番組登録者にリースすることが可能になる。これにより、番組登録者の多種多用な動画像の配信ニーズに対応することができる動画像配信システムを提供することが可能になる。【００１７】  （２）本発明のシステムにおいては、番組登録者等が所有している電話番号をアクセス用チャンネル番号として使用することを可能にしている。これにより、配信する動画像ごとに設定され、かつ視聴端末装置から配信依頼するためのアクセス用チャンネル番号を、プログラム処理により自動生成することなく、固有の識別番号を直ちに設定することが可能になる。【００１８】  （３）本発明のシステムにおいて、視聴端末装置を携帯電話機とし、さらに、アクセス用チャンネル番号を上記（２）に記載のように電話番号で構成すると、本発明のシステムの操作性と機能を拡大することが可能になる。例えば、配信管理サーバに各番組登録者の電話番号帖を閲覧可能とした携帯電話機用のＷｅｂページを公開することにより、視聴者は携帯電話機から、アクセス用チャンネル番号を携帯電話機の画面に入力することなく動画像の配信要求を行なうことが可能になる。
【発明を実施するための最良の形態】
【００１９】  以下、本発明を実施するための形態を図面に基づいて説明する。図１は、本発明を実施するためのシステム構成の一例を示す図である。図１において、１ａ、１ｂ、および２は、本発明のシステムを利用して動画像の配信要求とその視聴を行う視聴者の視聴端末装置である。なお、動画像とはストリーミング映像を含む動画像のことを示し、以下の説明においては、動画像、またはストリーミング映像のことを「動画像」として記述する。【００２０】  視聴端末装置１ａ、１ｂはパーソナルコンピュータから構成され、Ｗｉｎｄｏｗｓ（Ｍｉｃｒｏｓｏｆｔ社）等のＯＳの他に、Ｗｅｂページを閲覧するためのソフトウエア（Ｗｅｂプラウザ）であるＩｎｔｅｒｎｅｔ  Ｅｘｐｌｏｒｅｒ（Ｍｉｃｒｏｓｏｆｔ社）、電子メール用のソフトウエアであるＯｕｔｌｏｏｋ  Ｅｘｐｒｅｓｓ（Ｍｉｃｒｏｓｏｆｔ社）、映像蓄積サーバから配信されたストリーミング映像のデータを受信して再生するためのソフトウエアであるＷｉｎｄｏｗｓ  Ｍｅｄｉａ  Ｐｌａｙｅｒ（Ｍｉｃｒｏｓｏｆｔ社）、あるいはＲｅａｌ  Ｐｌａｙｅｒ（ＲｅａｌＮｅｔｗｏｒｋｓ社）、Ｑｕｉｃｋ  Ｔｉｍｅ  Ｐｌａｙｅｒ（アップルコンピュータ）等が予めインストールされている。【００２１】  視聴端末装置２は、インターネット接続機能と、３ＧＰＰ（３ｒｄ  Ｇｅｎｅｒａｔｉｏｎ  Ｐａｒｔｎｅｒｓｈｉｐ  Ｐｒｏｊｅｃｔ）の仕様に準拠した機能を備えている携帯電話機であって、この機能を利用して動画像の配信要求と、配信要求した映像を携帯電話機の画面で再生することができる携帯端末装置である。【００２２】  ３は、パーソナルコンピュータあるいはワークステーション等から構成される配信管理サーバであって、本システムを運営する業者、例えば、配信管理サーバ３を管理・運営する配信管理業者（以下、本システムを運営する業者を配信管理業者という）が所有しているサーバである。配信管理サーバ３は、視聴端末装置１ａ、１ｂ、および携帯電話機２からインターネットを介して配信管理サーバ３に動画像の配信要求を受信すると、プログラム処理により、この配信要求された動画像を蓄積している映像蓄積サーバに対して、この動画像データを視聴端末装置１ａ、１ｂ、携帯電話端末２に配信する制御を行う。また、配信管理サーバ３は、企業や個人等の配信依頼者（以下、番組登録者という）が配信したい動画像を、番組登録者の端末装置から映像蓄積サーバにアップロードするときに、配信管理サーバ３のＷｅｂページを利用してこのアップロードする操作を支援する機能も備えている。【００２３】  ４は、配信管理業者が管理・運営する第２の配信管理サーバであって、パーソナルコンピュータ等から構成される。この第２の配信管理サーバ４は、本発明のシステムで配信する動画像数が多くなったとき等に設置されるサーバであって、必要に応じて設けるようにする。例えば、第２の配信管理サーバ４は、万一のトラブルに備えて動画像をそのハードディスク装置等に蓄積するサーバとして使用するようにする。５は、配信管理業者が管理する端末装置であって、配信管理サーバ３をアクセスして配信管理サーバ３に登録している各種のデータベース（データテーブル）に新規データの追加や修正等の操作を行うための端末装置である。【００２４】  ６、７は、パーソナルコンピュータあるいはワークステーション等から構成される映像蓄積サーバであり、視聴者から配信要求される動画像を蓄積（記憶）し、配信管理サーバ３の配信制御により、配信要求を行った視聴端末装置１ａ、１ｂ、携帯電話機２に動画像を配信する機能を備えている。本システムにおいては、これら映像蓄積サーバ６、７は配信管理業者の所有としてもよいが、第３者が運営するＷｅｂサーバをレンタルサーバとして借用してもよい。【００２５】  なお、本発明のシステムにおいて、システムの規模が小さいとき、すなわち、配信する動画像の数が少ない場合には、上記の映像蓄積サーバ６、７を設ける必要はなく、配信する動画像を配信管理サーバ３、あるいは第２の配信管理サーバ４に蓄積したシステムにしてもよい。【００２６】  ８、９は、パーソナルコンピュータあるいはワークステーション等から構成される番組登録者の端末装置である。端末装置８、９は、インターネット上にＷｅｂページを公開する企業、各種団体、あるいは個人等が運営するＷｅｂサーバとしてもよい。本発明において、この端末装置８、９の所有者は、動画像の配信を配信管理業者に依頼する番組登録者になると共に、番組登録者自身が端末装置８、９等を使用して配信依頼する動画像を映像蓄積サーバ６、７にアップロードする操作を行うことができるようにしている。【００２７】  また、番組登録者の端末装置８、９は、そのＷｅｂページにより、本発明のシステムを利用して視聴者に配信する動画像の配信番組表（配信する映像メニューごとの配信日時等）を公開する役割を持つようにしてもよい。なお、端末装置８、９にも、上記したソフトウエアであるＯＳ、Ｗｅｂプラウザ、電子メール用ソフトウエア、ＦＴＰ（Ｆｉｌｅ  Ｔｒａｎｓｆｅｒ  Ｐｒｏｔｏｃｏｌ）用のソフトウエア等がインストールされている。【００２８】  １０ａ、１０ｂは、コンピュータ読み取り可能な記録媒体である。このコンピュータ読み取り可能な記録媒体１０ａ等は、ＣＤ−ＲＯＭ、ＤＶＤ−ＲＯＭ、フロッピーディスク、ＵＳＢ端子付記憶メディア等であって、パーソナルコンピュータ等から構成される端末装置８、９等で読み取り可能な記録媒体である。これら記録媒体１０ａ等には、配信管理サーバ３に対して番組登録の申請と、動画像のアップロードの申請と、端末装置８、９から番組登録者側で配信したい動画像を配信蓄積サーバ６、７等にアップロードする操作を支援するプログラム（以下、開局申請プログラムという）、等が予め記録されている。【００２９】  また、このコンピュータ読み取り可能な記録媒体１０ａ、１０ｂ、・・ごとに、予め固有の開局識別番号が設定されている。この開局識別番号は、配信管理業者が予めコンピュータ読み取り可能な記録媒体１０ａ、・・ごとに設定した所定の桁数を有する固有の番号であり、コンピュータ読み取り可能な記録媒体１０ａ、・・に貼り付けたシール等に印刷されている。なお、開局識別番号の桁数は、システムの規模にもよるが、数字または英数字からなる５〜１２桁程度に設定するとよい。【００３０】  本発明のシステムにおいては、配信管理業者またはその代理店等は、これらコンピュータ読み取り可能な記録媒体１０ａ、１０ｂ、・・を広く販売する活動を行う。そして、本発明のシステムを利用して動画像の配信を行いたい番組登録者、例えば、各種の企業、団体、個人等は、このコンピュータ読み取り可能な記録媒体１０ａ、１０ｂ、・・を購入し、端末装置８、９等を使用して上記開局申請プログラムを作動させて、配信管理サーバ３に対して開局申請の操作を行う。【００３１】  １１は、配信管理業者の代理店が所有している端末装置であって、ＩＤとパスワードを入力して配信管理サーバ３をアクセスして、配信管理サーバ３に登録されている後記する配信管理データテーブルにアクセス用チャンネル番号を登録する操作を行なうための端末装置である。【００３２】  １２は、番組登録者等の携帯電話機である。本発明においては、番組登録者は携帯電話機１２で撮像した動画像についても、この動画像データを携帯電話機１２から映像蓄積サーバ６、７の何れかにアップロードすることができるようにしている。【００３３】  上記した視聴者の視聴端末装置１ａ、１ｂ、配信管理サーバ３、４、端末装置５、映像蓄積サーバ６、７、番組登録者の端末装置８、９、代理店の端末装置１１は、各地に存在するインターネット・サービス・プロバイダ１３を介して通信網であるインターネット１４に接続されている。【００３４】  携帯電話機２、１２からの通信データは、地上基地局１５ａ、１５ｂ、携帯電話サービス会社のインターネット接続サーバ（情報センター）１６ａ、１６ｂを介してインターネット１４に接続される。なお、携帯電話機１２はインターネット接続機能と、３ＧＰＰ（３ｒｄＧｅｎｅｒａｔｉｏｎ  Ｐａｒｔｎｅｒｓｈｉｐ  Ｐｒｏｊｅｃｔ）の仕様に準拠した動画像を撮像する（ＭＰＥＧ−４で画像圧縮）ことができるカメラ機能を備えた携帯電話機である。【００３５】  本発明のシステムを利用して動画像の配信を行いたい番組登録者、例えば、各種の企業、団体、個人等は、このコンピュータ読み取り可能な記録媒体１０ａ、１０ｂ、・・を購入し、端末装置８、９等を使用して、番組登録者自信で配信したい動画像を配信蓄積サーバ６、７等にアップロードする操作を行うことになる。【００３６】  なお、端末装置８、９等を使用して動画像を映像蓄積サーバ６、７にアップロードするためには、ストリーミング技術やパーソナルコンピュータに関する知識を必要とする。従って、この知識が乏しい番組登録者には、配信管理業者またはその代理店等がアップロード操作の指導を行うようにする。また、一部の番組登録者には、端末装置５、１１を使用してアップロードの操作を代行するようにしてもよい。また、動画像を映像蓄積サーバ６、７にアップロードする端末装置８、９等には、デジタルビデオカメラ等で撮像した動画像を、ストリーミング映像として配信できるデータ形式に変換（エンコード）するソフトウエアをインストールしておく必要がある。【００３７】  配信管理サーバ３は、図２に示すように、そのハードディスク装置等の記憶領域内にソフトウエア部３Ｓとデータベース部３Ｄを備えている。
ソフトウエア部３Ｓは、配信管理サーバ３を作動させるための各種のプログラムが記憶されている。ソフトウエア部３Ｓに記憶されているプログラムは、図２に示すように、Ｗｉｎｄｏｗｓ（Ｍｉｃｒｏｓｏｆｔ社）等のＯＳである３Ｓ１、Ｗｅｂプラウザ３Ｓ２、電子メール用ソフトウエア３Ｓ３、配信制御プログラム３Ｓ４、アップロード支援プログラム３Ｓ５、アクセス用チャンネル番号登録プログラム３Ｓ６、データベース登録保守プログラム３Ｓ７、等から構成されている。これらの各プログラムは、実行されるときには配信管理サーバ３の主記憶装置に読み込まれる。【００３８】  データベース部３Ｄは、開局識別番号管理データテーブル３Ｄ１、および配信管理データテーブル３Ｄ２、代理店データテーブル、等から構成されている。
開局識別番号管理データテーブル３Ｄ１には、図３に示すように、コンピュータ読み取り可能な記録媒体１０ａ、・・ごとに予め設定されている固有の開局識別番号ｈ１と、この開局識別番号に対して付与されているチャンネル番号ｈ２が前もって登録されている。そして、開局識別番号管理データテーブル３Ｄ１には、この記録媒体１０ａ、・・を購入した番組登録者が端末装置８、９等を使用して、開局申請を行うためのユーザ登録と動画像をアップロードするときに、端末装置８、９等から配信管理サーバ３に送信されてくる番組登録者に関する名称ｈ３、その他の番組登録者に関する属性データｈ４（番組登録者のＩＤ、パスワード、他）等が追加して記憶（登録）される。【００３９】  配信管理データテーブル３Ｄ２は、視聴端末装置１ａ、１ｂ、２等から配信管理サーバ３に対して配信要求が発生したときに、配信制御プログラム３Ｓ４により、映像蓄積サーバ６、７に蓄積されている動画像を配信制御する処理を行うときに参照される。【００４０】  配信管理データテーブル３Ｄ２には、図４に示すように、配信する動画像ごとに設定される所定の桁数を有するチャンネル番号ｈ２、このチャンネル番号ｈ２ごとに設定されるアクセス用チャンネル番号ｈ５、映像識別番号ｈ６、映像（番組）タイトル名ｈ７、この映像タイトル名ｈ７が付与された動画像のデータを蓄積する映像蓄積サーバのＵＲＬｈ８とこの動画像（映像）のファイル名ｈ９、配信期間（配信開始日時と終了日時）ｈ１０、等に関するデータが記憶されている。【００４１】  開局識別番号管理データテーブル３Ｄ１、および配信管理データテーブル３Ｄ２に記録されているチャンネル番号ｈ２とは、予め配信管理業者が設定した所定の桁数を有する数字または英数字から構成される識別番号を示す。配信管理業者は、コンピュータ読み取り可能な記録媒体１０ａ、１０ｂ、・・ごと、すなわち、開局識別番号ごとに一つまたは複数のチャンネル番号ｈ２を付与し、図３に示す開局識別番号管理データテーブル３Ｄ１に、開局識別番号ごとに付与したチャンネル番号を登録しておく。配信管理業者は、コンピュータ読み取り可能な記録媒体１０ａ、１０ｂを購入した番組登録者に対して、その代償として購入した記録媒体１０ａ、１０ｂ等に設定したチャンネル番号ｈ２を、契約により所定の期間（例えば、１年間、）ほど使用権を与える（リースする）。なお、チャンネル番号ｈ２は、システムの規模にもよるが、数字または英数字からなる５〜１２桁の番号から構成するとよい。【００４２】  配信管理データテーブル３Ｄ２は、番組登録者に使用権を与えたこのチャンネル番号ｈ２ごとに、番組登録者から配信依頼された動画像に関する各種の属性情報であるアクセス用チャンネル番号ｈ５、映像識別番号ｈ６、映像タイトル名ｈ７、映像蓄積サーバのＵＲＬｈ８、ファイル名ｈ９、・・等に関するデータを登録したデータベースである。【００４３】  また、配信管理データテーブル３Ｄ２に記録されているアクセス用チャンネル番号ｈ５とは、一般の視聴者に公開することを前提にして配信する動画像ごとに設定される固有の識別番号である。このアクセス用チャンネル番号ｈ５は、番組登録者にリースされたチャンネル番号ｈ２に対応��て映像蓄積サーバ６、または７に蓄積する動画像ごとに設定される。また、このアクセス用チャンネル番号ｈ５は、視聴者が視聴端末装置１ａ、２等から配信管理サーバ３をアクセスして希望する映像の配信要求を行うときに、視聴者が入力する番号として使用される。【００４４】  なお、アクセス用チャンネル番号ｈ５は、チャンネル番号ｈ２と同一にしてもよいが、セキュリティを確保するために、６〜１２桁程度の数字または英数字から構成される固有の識別番号をプログラム処理により設定するか、あるいは、番組登録者が所有している電話番号を採用してもよい。【００４５】  本システムにおいては、通常、番組登録者が端末装置８、または９を使用して動画像を映像蓄積サーバ６、７にアップロードし、このアップロードした映像を所定の期間、例えば、１ケ月〜数ケ月ほど視聴者に配信する。また、この動画像をアップロードしたときに、配信管理サーバ３のアップロード支援プログラム３Ｓ５は、アクセス用チャンネル番号ｈ５を設定して、配信管理データテーブル３Ｄ２に登録する処理を行なうようにしている。【００４６】  本発明のシステムにおいては、このアクセス用チャンネル番号ｈ５は、番組登録者の必要に応じて、配信管理業者の端末装置５あるいは代理店の端末装置１１から配信管理サーバ３の配信管理データテーブル３Ｄ２をアクセスして、配信管理データテーブル３Ｄ２に登録することを可能にしていることに特徴がある。さらに、このとき、端末装置５あるいは代理店の端末装置１１から配信する動画像を映像蓄積サーバ６または７にアップロードすることも可能にしている。【００４７】  上記「番組登録者の必要に応じて」とは、例えば、番組登録者がサービス業である場合、特定の１週間ほど、バーゲンセール、各種の行事、イベント等に関する動画像を配信して集客、販売促進等を行なうことを示す。また、この番組登録者は、配信管理業者と動画像の配信契約を行なっていない新規の番組登録者であってもよい。【００４８】  続いて、本発明のシステムの作用について説明する。まず、本発明のシステムを構築して稼動させるためには、予め下記の事項（１）〜（６）を行っておく必要がある。以下、この内容について説明する。【００４９】  （１）配信管理業者は、データベース登録保守プログラム３Ｓ７により、図３に示す開局識別番号管理データテーブル３Ｄ１を作成して、配信管理サーバ３の外部記憶装置に登録する。開局識別番号管理データテーブル３Ｄ１の初期のデータとしては、配信管理業者等が製造販売するコンピュータ読み取り可能な記録媒体１０ａ、１０ｂ、・・ごとに設定された開局識別番号ｈ１と、この開局識別番号ｈ１に付与（設定）された１つまたは複数のチャンネル番号ｈ２が登録される。図３において、開局識別番号ｈ１の「１２３−００００−０００１」には三つのチャンネル番号「００００１」、「００００２」、「００００３」が、同じく開局識別番号ｈ１の「１２３−００００−０００２」には一つのチャンネル番号「００００４」が予め登録されていることを示す。【００５０】  なお、図３に示す番組登録者の名前（名称）ｈ３と、その他の属性データｈ４（ＩＤ、パスワード、・・）は、番組登録者が配信管理サーバ３をアクセスして、ストリーミング映像のアップロードの申請（開局申請）を行ったときに、配信管理サーバ３のアップロード支援プログラム３Ｓ５の処理により登録される。【００５１】  （２）配信管理業者は、データベース登録保守プログラム３Ｓ７により、図４に示す配信管理データテーブル３Ｄ２を作成して、配信管理サーバ３の外部記憶装置に登録する。配信管理データテーブル３Ｄ２を配信管理サーバ３に登録した初期時には、図４に示すチャンネル番号ｈ２のみが登録される。【００５２】  （３）配信管理業者は、配信するストリーミング映像を蓄積する映像蓄積サーバを決める。映像蓄積サーバは、配信管理業者が運営する配信管理サーバ４、あるいは第３者が運営する映像蓄積サーバ６、７等を利用するようにしてもよい。この映像蓄積サーバを決定すると、配信管理業者は、この映像蓄積サーバのインターネット上のアドレスであるＵＲＬ（Ｕｎｉｆｏｒｍ  Ｒｅｓｏｕｒｃｅ  ｌｏｃａｔｏｒ）を配信管理データテーブル３Ｄ２のチャンネル番号ｈ２ごとに割り付けて、この割り付けたＵＲＬを配信管理データテーブル３Ｄ２の該当するチャンネル番号ｈ２の映像蓄積サーバのＵＲＬｈ８欄に登録する作業を行う。なお、このＵＲＬは、映像蓄積サーバをアクセスするためのスキーム名（ｈｔｔｐ）、ドメイン名（ｗｗｗ．・・・）、ディレクトリから構成される。【００５３】  （４）配信管理業者は、コンピュータ読み取り可能な記録媒体１０ａ、１０ｂ、・・に記憶するプログラムを開発する。このプログラムは、端末装置８、９等を利用してストリーミング映像を映像蓄積サーバ６、７にアップロードするときに、この番組登録者の名前等の属性データを入力し、この入力したデータを配信管理サーバ３に登録するための開局申請プログラムと、端末装置８、９等の外部記憶装置に記憶しているストリーミング映像を映像蓄積サーバ６、７にアップロードする操作を支援するアップロード支援プログラム、等から構成されている。なお、これらのプログラムは、ＨＴＭＬ言語等を用いて開発することができる。【００５４】  （５）番組登録者は、必要に応じて、配信したいストリーミング映像について、デジタルビデオカメラ等を使用して番組登録者自信で撮像するか、あるいは第３者に撮像を依頼する。そして、パーソナルコンピュータを使用して、この撮像した映像をストリーミング映像として配信できるデータに変換する作業を行う。撮像した映像をストリーミング映像として配信できるデータに変換するためのソフトウエアとしては、例えば、Ｗｉｎｄｏｗｓ  Ｍｅｄｉａ  Ｅｎｃｏｄｅｒ（Ｍｉｃｒｏｓｏｆｔ社）、ＲｅａｌＰｒｏｄｕｃｅｒ（ＲｅａｌＮｅｔｗｏｒｋｓ社）、ＱｕｉｃｋＴｉｍｅ  Ｐｒｏ（アップルコンピュータ）等を使用することができる。変換したストリーミング映像は、ファイル名ｈ９を付与して番組登録者の端末装置８、９等の外部記憶装置に記憶しておく。【００５５】  （６）番組登録者や配信管理業者は、本発明のシステムにより配信できる動画像について、その配信番組表等の配信メニューをＷｅｂページにより公開する。このＷｅｂページは、例えば、番組登録者の端末装置８、９、配信管理業者の配信管理サーバ３等を利用してインターネット１４上に公開���る。なお、Ｗｅｂページで公開する配信番組表等は、動画像に関する属性データ、例えば、番組タイトル名、配信期間（配信開始日時と配信終了日時）等を表示するようにする。さらに、視聴者端末１ａ、２等から配信管理サーバ３の配信番組表等のＷｅｂページをアクセスし、続いて、アクセス用チャンネル番号ｈ５を入力するＷｅｂとリンクさせて、動画像の配信要求ができるようにするとよい。【００５６】  続いて、本発明のシステムを利用して、番組登録者が配信を行いたいストリーミング映像を映像蓄積サーバ６、７にアップロードする手順、前記した番組登録者からの短期間の配信依頼に対して、代理店の端末装置１１等を利用して配信管理サーバ３をアクセスし、配信管理データテーブル３Ｄ２にアクセス用チャンネル番号ｈ６を登録する手順、および視聴者が動画像を視聴するために配信要求する手順と、これらの手順に対する配信管理サーバ３の処理内容について説明する。【００５７】（動画像をアップロードする手順）
コンピュータ読み取り可能な記録媒体１０ａ等を購入した番組登録者が、配信を行いたい動画像を、番組登録者側の端末装置８、９等を使用して映像蓄積サーバ６、７の何れかにアップロードする手順は、図５に示すようになる。以下、図５に示す手順に従って説明する。【００５８】（手順ｔ１）
番組登録者は、番組登録者の端末装置８、９の外部記憶装置（ハードディスク装置等）に、アップロードする動画像を記憶しておく。このとき、この動画像は前記したように、ストリーミング映像として配信できるデータ形式に変換し、ファイル名ｈ９を付与して外部記憶装置に記憶しておく。【００５９】（手順ｔ２）
番組登録者は、購入したコンピュータ読み取り可能な記録媒体１０ａ、・・を端末装置８等にセットする。すると、コンピュータ読み取り可能な記録媒体１０ａには、予め前記した開局申請プログラム等が記憶されているので、このプログラムが立ち上がると、例えば、図６に示すメニュー画面Ｇ１が表示装置に表示される。【００６０】（手順ｔ３）
メニュー画面Ｇ１の中から、「１．開局申請者の登録」をマウスでクリックする。すると、開局申請プログラムは、図７に示す開局申請者に関する属性データを入力する画面Ｇ２を表示するように制御する。なお、「開局申請者の登録」とは、コンピュータ読み取り可能な記録媒体１０ａ、・・を購入した番組登録者に関する名前、ＩＤ、住所、等の属性データを配信管理サーバ３の開局識別番号管理データテーブル３Ｄ１に登録することを示す。【００６１】（手順ｔ４）
番組登録者は、表示装置に表示された開局申請者の登録画面Ｇ２の各入力項目について、データを入力する。これらの入力項目のうち、開局識別番号はこの番組登録者が購入したコンピュータ読み取り可能な記録媒体１０ａ等に予め印刷されている開局識別番号を示す。画面Ｇ２に示すこの他の入力項目であるご利用ＩＤ（ＩＤ）、パスワード、チャンネル名、お名前、住所、メールアドレス等は、番組登録者に関する属性データである。なお、これらの属性データのうち、ＩＤとパスワードは、この番組登録者が動画像のアップロードの操作を行うときに、配信管理サーバ３に対する番組登録者の認証データになる。【００６２】（手順ｔ５）
上記手順４の入力操作が終了すると、画面Ｇ２の「確認」ボタンをマウスでクリックする。すると、図示していないが、開局申請プログラムは、手順４で入力したデータを画面に再表示し、番組登録者に対して、手順４で入力したデータを確認させる処理を行う。【００６３】（手順ｔ６）
番組登録者は、この確認画面の表示内容について、手順ｔ４で入力したデータの入力ミスの有無を確認する。そして、入力ミスが無い場合には、図示していない確認画面に表示されている「登録」ボタンをクリックする。コンピュータ読み取り可能な記録媒体１０ａ等には、インターネット１４を介して配信管理サーバ３をアクセスするためのプログラム（プラウザ）を起動させるプログラムも記憶されている。これにより、「登録」ボタンをクリックすると、番組登録者が手順４で入力したデータは配信管理サーバ３に送信されることになる。【００６４】  配信管理サーバ３のアップロード支援プログラム３Ｓ５は、端末装置８等から上記手順ｔ６により入力されたデータを受信すると、受信した開局識別番号が予め開局識別番号管理データテーブル３Ｄ１に登録されているか否か等のチェックを行う。そして、受信したデータが正常である場合には、番組登録者の端末装置８等に、図８に示す画面Ｇ３を表示する処理を行う。なお、受信した開局識別番号が開局識別番号管理データテーブル３Ｄ１に未登録の場合には、番組登録者の端末装置８等にエラー表示を行う。【００６５】  配信管理サーバ３のアップロード支援プログラム３Ｓ５は、上記手順ｔ６により受信したデータが正常と判定した場合には、受信した番組登録者の開局識別番号を記憶している開局識別番号管理データテーブル３Ｄ１の記憶欄に、番組登録者の名前ｈ３、番組登録者の属性データｈ４であるＩＤ、パスワード、チャンネル名（チャンネルの愛称）、メールアドレス、住所、等の各欄にこれら受信したデータを記憶する処理を行う。【００６６】  上記した（手順ｔ１）〜（手順ｔ６）に従って番組登録者の属性データの登録操作が終了すると、配信管理サーバ３は、前記のように、図８に示すような画面Ｇ３を番組登録者の端末装置８、９に表示する処理を行う。そして、番組登録者はこの画面Ｇ３を利用して、端末装置８等に記憶している動画像を映像蓄積サーバ６、７のいずれかにアップロードする操作を継続して行うことができる。なお、番組登録者が動画像のアップロードの操作を後日行うことが可能にするために、コンピュータ読み取り可能な記録媒体１０ａ、・・の取扱説明書および画面Ｇ３に、配信管理サーバ３のログインページをアクセスするためのＵＲＬ（Ｇ３ａ）を表示しておく。【００６７】  続いて、番組登録者が端末装置８等に記憶している動画像を、映像蓄積サーバ６、７等にアップロードするための操作手順を下記（手順ｔ７）〜（手順ｔ１０）に基づいて説明する。【００６８】（手順ｔ７）
番組登録者は、図８に示す画面Ｇ３の「ログイン画面に進む」をマウスでクリックする。画面Ｇ３を表示するためのＨＴＭＬ記述言語内には、配信管理サーバ３のログインページのＵＲＬが埋め込まれている（配置されている）。これにより、番組登録者が画面Ｇ３の「ログイン画面に進む」をマウスでクリックすると、アップロード支援プログラム３Ｓ５は、図９に示すようなログインページ画面Ｇ４を端末装置８、９等に表示する処理を行う。【００６９】（手順ｔ８）
番組登録者は、ログインページ画面Ｇ４の入力項目である「ＩＤ」欄と「パスワード」欄に、上記手順ｔ４で入力した自分のＩＤとパスワードを入力して、ログインページ画面Ｇ４の「ログイン」をマウスでクリックする。【００７０】  番組登録者が（手順ｔ８）により「ログイン」をマウスでクリックすると、配信管理サーバ３のアップロード支援プログラム３Ｓ５は、この「ＩＤ」と「パスワード」に関するデータを取得することができる。そして、アップロード支援プログラム３Ｓ５は、この「ＩＤ」と「パスワード」が開局識別番号管理データテーブル３Ｄ１に予め登録されているか否かをチェックする処理（番組登録者の認証処理）を行う。このチェックの結果、開局識別番号管理データテーブル３Ｄ１に登録されている場合には、正しい「ＩＤ」と「パスワード」が入力されたと判定して、図１０に示す番組情報の登録画面Ｇ５を端末装置８、９等に表示する処理を行う。また、アップロード支援プログラム３Ｓ５は、開局識別番号管理データテーブル３Ｄ１を参照してこの「ＩＤ」と「パスワード」が一致する開局識別番号ｈ１を求める処理を行う。【００７１】  番組情報の登録画面Ｇ５は、番組登録者が端末装置８、９等に記憶している動画像のアップロードの操作を行うときに、この動画像に関する属性データと、端末装置８、９等に記憶されているこの動画像のファイル名等を入力し、入力したデータを配信管理サーバ３に送信するためのＷｅｂページである。【００７２】  また、番組情報の登録画面Ｇ５の構成は、前記したコンピュータ読み取り可能な記録媒体１０ａ、１０ｂ、・・・に予め設定されているチャンネル番号の数に対応して、このチャンネル番号ごとに動画像に関する属性データが入力できるようになっている。例えば、図１０に示す表示領域Ｇ５ａをマウスでクリックすると、この番組登録者は三つのチャンネル番号が設定されているコンピュータ読み取り可能な記録媒体１０ａを購入していることが確認できる。そして、表示領域Ｇ５ｂに三つのチャンネル番号ごとにそれぞれ動画像に関する属性データを入力する必要があることを示す「番組１」、「番組２」、「番組３」が表示される。【００７３】（手順ｔ９）
番組登録者は、図１０に示す番組情報の登録画面Ｇ５に、番組（映像）のタイトル、動画像の配信期間（配信開始日時分と配信終了日時分）、公開／非公開、アップロードする動画像のファイル名等、アップロードする動画像に関する属性データを入力する。
このうち、「公開／非公開」の区分とは、番組登録者が配信する動画像の視聴対象者を不特定多数、すなわち誰にでも配信して公開する場合は「公開」を示し、特定の視聴者を対象とする場合は「非公開」を示す。特定の視聴者を対象として動画像を配信する例としては、互いに遠方にいる家族等のみに家族の映像を配信する場合、各種学会において講演会や研究発表会等の映像をその学会の会員のみに配信する場合、カラオケ、映画、各種スポーツの映像等を有料で配信する場合、等である。【００７４】  本発明においては、図１０に示す番組情報の登録画面Ｇ５を利用して、端末装置８、９の外部記憶装置に記憶している動画像を映像蓄積サーバ６、７のいずれかにアップロードすることが可能になっている。この操作を行うためには、表示領域Ｇ５ｃに表示されている「参照」をマウスでクリックし、アップロードする動画像を記憶しているドライブ名とそのファイル名を表示領域Ｇ５ｄで指定するようにする。【００７５】（手順ｔ１０）
番組登録者は、番組情報の登録画面Ｇ５の各入力欄への入力操作が終了すると、「登録」ボタンをクリックする。これにより、配信管理サーバ３は番組登録者が入力した動画像に関する属性データを取得することができる。【００７６】（手順ｔ１１）
配信管理サーバ３のアップロード支援プログラム３Ｓ５は、手順ｔ１０により取得したアップロードする動画像に関する属性データのうち、「公開／非公開」の区分が「非公開」の場合には、後記する映像識別番号を自動生成する処理を行い、この生成した映像識別番号を番組情報の登録画面Ｇ５の表示領域Ｇ５ｅに表示する処理を行う。【００７７】  配信管理サーバ３のアップロード支援プログラム３Ｓ５は、上記手順ｔ１０により、アップロードする動画像に関する属性データを取得（受信）すると次の処理を行う。【００７８】（処理１）
上記手順ｔ８により送信された番組登録者のＩＤとパスワードをキーにして、開局識別番号管理テーブル３Ｄ１を検索する処理を行う。そして、開局識別番号管理テーブル３Ｄ１に、この入力された「ＩＤ」と「パスワード」とが同一のデータが登録されているチャンネル番号ｈ２を求め、このチャンネル番号を内部記憶装置に記憶しておく。そして、上記手順ｔ１０により動画像に関する属性データを取得すると、配信管理データテーブル３Ｄ２について、内部記憶装置に記憶しておいたチャンネル番号ｈ２と同一のチャンネル番号を記憶する領域欄を求める。
続いて、このチャンネル番号ｈ２を記憶する配信管理データテーブル３Ｄ２に、上記手順ｔ１０により取得した番組タイトル名、ファイル名、配信期間２等を、それぞれ映像タイトル名ｈ７、ファイル名ｈ９、配信期間ｈ１０の記憶欄に記憶（登録）する処理を行う。【００７９】（処理２）
上記処理１で求めたチャンネル番号ｈ２について、配信管理データテーブル３Ｄ２に予め登録されている映像蓄積サーバのＵＲＬｈ８を求める。そして、アップロード支援プログラム３Ｓ５は、この求めたＵＲＬｈ８、および受信したファイル名ｈ９を、アクセスした番組登録者の端末装置８、または端末装置９に送信する。すると、端末装置８等にインストールされているアップロード支援プログラムは、端末装置８等の外部記憶装置に記憶されている動画像を、映像蓄積サーバのＵＲＬｈ８に、ファイル名ｈ９を付与してアップロードする処理を行う。【００８０】  なお、本発明においては、番組登録者の端末装置８、９に記憶されている動画像を映像蓄積サーバ６、７の何れかにアップロードする処理は、アップロード支援プログラム３Ｓ５の制御により、一旦、端末装置８、または９から配信管理サーバ３にアップロードし、続いて、映像蓄積サーバ６、７の何れかにアップロードする処理を行うようにしてもよい。また、アップロード支援プログラム３Ｓ５は、アップロードする映像蓄積サーバ６、７のＵＲＬを番組登録者の端末装置８、９に表示させ、番組登録者はこのＵＲＬに動画像を、ＦＴＰ（Ｆｉｌｅ  Ｔｒａｎｓｆｅｒ  Ｐｒｏｔｏｃｏｌ）用プログラムを作動させてアップロードする操作を行うようにしてもよい。【００８１】（処理３）
配信管理サーバ３のアップロード支援プログラム３Ｓ５は、上記手順ｔ９により、動画像に関する属性データのうち、「公開／非公開」の区分について「公開」が選択された場合には、所定の桁数を有する固有のアクセス用チャンネル番号を自動生成し、この生成したアクセス用チャンネル番号を、配信管理データテーブル３Ｄ２の該当するチャンネル番号のアクセス用チャンネル番号ｈ５欄に記憶する処理を行う。このアクセス用チャンネル番号ｈ５は、チャンネル番号ｈ２と同一としてもよいが、チャンネル番号ｈ２のセキュリティを確保するためには、チャンネル番号ｈ２と異なる６〜１２桁程度の数字、または英数字からなる固有の識別番号を設定するとよい。例えば、チャンネル番号ｈ２に所定の桁数の数字を付加した識別番号にする。【００８２】（処理４）
本発明においては、配信管理サーバ３のアップロード支援プログラム３Ｓ５は、上記手順ｔ９により、ストリーミング映像に関する属性データのうち、「公開／非公開」の区分について「非公開」が選択された場合には、所定の桁数を有する固有の映像識別番号をプログラム処理により自動生成し、この生成した映像識別番号を、配信管理データテーブル３Ｄ２の該当するチャンネル番号の映像識別番号ｈ６欄に記憶する処理を行う。さらに、映像アップロード支援プログラム３Ｓ５は、生成したこの映像識別番号ｈ６を、例えば、番組情報の登録画面Ｇ５の表示領域Ｇ５ｅに表示して番組登録者に連絡するようにする。また、この映像識別番号ｈ６を番組登録者に連絡する手段は、配信管理サーバ３からメールにより番組登録者の端末装置８、９に連絡するようにしてもよい。
なお、映像識別番号ｈ６は、前記したアクセス用チャンネル番号ｈ５とは桁数が異なる数字、または英数字から構成し、アクセス用チャンネル番号ｈ５と映像識別番号ｈ６とがプログラム処理により判別できるようにするとよい。【００８３】  上記した映像識別番号は、「非公開」、すなわち、特定の視聴者に配信する動画像ごとに設定される固有の識別番号であって、配信する映像を識別するために設定される番号である。また、この映像識別番号は、視聴者が動画像の配信要求を行うときにこの映像を指定するために視聴端末装置１ａ、・・から入力する番号になる。従って、番組登録者は、この映像識別番号が設定された動画像を視聴したい視聴者、例えば、家族、あるいは番組登録者の会員等に文書やメール等で連絡するようにする。
この映像識別番号を入力するフォーム（配信要求フォーム）は、前記したように、予めコンピュータ読み取り可能な記録媒体１０ａ、１０ｂ、・・に記憶されているので、番組登録者はこの配信要求フォームをメールで家族、会員等に送付してもよい。【００８４】  なお、「公開／非公開」の区分について「公開」が選択された場合には、アクセス用チャンネル番号ｈ５（例えば、００００１−０１）と、配信管理サーバ３のＵＲＬを含む下記のようなタグを番組情報の登録画面Ｇ５の表示領域Ｇ５ｅに表示し、番組登録者に連絡するとよい。
Ａ  ｈｒｅｆ＝“ｈｔｔｐ：／／ｗｗｗ．ｓｔｒｅａｍｉｎｇ・・・・／ｃｃｕ／ｉｎｄｅｘ．ｐｈｐ？ｃｈ＝００００１０１
そして、番組登録者が視聴者に対して配信要求を行うために公開する配信番組表のＷｅｂページにこのタグを埋め込むことにより、このＷｅｂページから配信管理サーバ３に配信要求を行うことが可能になる。【００８５】  また、視聴端末装置１ａ、２等から配信管理サーバ３をアクセスして配信要求を行うときに、このアクセス用チャンネル番号ｈ５を入力することにより、配信管理サーバ３に対してこの入力したアクセス用チャンネル番号ｈ５に対応する動画像の配信要求を行うことが可能になる。【００８６】（処理４）
上記（処理１）〜（処理３）の処理が終わると、番組情報の登録画面Ｇ５の表示領域Ｇ５ｅに「アップロードは終了しました」という趣旨のメッセージを表示して、番組登録者の動画像のアップロード操作は終了する。【００８７】  なお、本発明においては、上記した図１０に示す番組情報の登録画面Ｇ５を使用して既にアップロードした動画像を削除（番組の削除）する操作を行うことも可能になる。この番組の削除処理の概要は次のようになる。【００８８】  すなわち、番組登録者が図９に示すログインページ画面Ｇ４の「ログイン」をクリックして配信管理サーバ３をアクセスすると、アップロード支援プログラム３Ｓ５は開局識別番号管理テーブル３Ｄ１と配信管理テーブル３Ｄ２を参照して、番組登録者のチャンネル番号に既に動画像がアップロードされているか否かをチェックし、既に登録されている場合には、その属性データを番組情報の登録画面Ｇ５に表示する。
続いて、番組登録者は登録画面Ｇ５の表示領域Ｇ５ａをマウスで操作することにより表示される番組タイトル名等を確認し、削除したい動画像については画面Ｇ５の「番組削除」ボタンＧ５ｆをクリックする。これにより、配信管理サーバ３は、番組（映像）の削除情報を取得することができる。【００８９】  このような処理により、配信管理サーバ３のアップロード支援プログラム３Ｓ５は、該当するチャンネル番号の該当するファイル名が付与された映像に関する属性データを配信管理データテーブル３Ｄ２から削除することができる。また、配信管理業者は、映像蓄積サーバ６、７のいずれかに記憶しているこのファイル名を付与した動画像を削除する処理を行う。【００９０】（携帯電話による動画像のアップロード）
本発明においては、番組登録者が所有している携帯電話機１２で撮像した動画像を、映像蓄積サーバ６、７にアップロードすることも可能である。なお、このアップロードを行なうためには、携帯電話機１２は、インターネット接続機能を備えている必要がある。さらに、携帯電話機１２は、動画像の撮像が可能な３ＧＰＰ（３ｒｄ  Ｇｅｎｅｒａｔｉｏｎ  Ｐａｒｔｎｅｒｓｈｉｐ  Ｐｒｏｊｅｃｔ）の仕様に準拠した機能を備えている必要がある。また、アップロードする動画像データのデータ容量は、１００ＫＢ〜１５０ＫＢ程度にしておく必要がある。【００９１】  また、番組登録者が携帯電話機１２で動画像を撮像し、この携帯電話機の記憶装置に記憶されている動画像データを映像蓄積サーバ６、７のいずれかにアップロードするためには、番組登録者は、予め前記した（手順ｔ１）〜（手順ｔ６）により開局申請を行ってこの番組登録者に関する属性データを配信管理サーバ３の開局識別番号管理データテーブル３Ｄ１に登録しておく必要がある。【００９２】  番組登録者が携帯電話機１２で撮像した動画像データを映像蓄積サーバ６、７のいずれかにアップロードする手順は、前記した（手順ｔ７）〜（手順ｔ１１）とほぼ同一であるが、その手順のポイントとなる事項は下記の（手順ｔ１２）〜（手順ｔ１７）になる。【００９３】（手順ｔ１２）
配信管理業者は、配信管理サーバ３に携帯電話機用のアップロード支援Ｗｅｂページを公開する。そして、番組登録者は、携帯電話機１２により、この携帯電話機用のアップロード支援Ｗｅｂページをアクセスする。なお、このアップロード支援ＷｅｂページのＵＲＬは、コンピュータ読み取り可能な記録媒体１０ａの取扱説明書に記載しておくようにする。【００９４】（手順ｔ１３）
携帯電話機１２が、アップロード支援Ｗｅｂページをアクセスすると、配信管理サーバ３のアップロード支援プログラム３Ｓ５は、番組登録者の「ＩＤ」と「パスワード」を入力する画面を携帯電話機１２ａ等の画面に表示する処理を行う。番組登録者は、前記した（手順ｔ４）により配信管理サーバ３に登録した自分の「ＩＤ」と「パスワード」を入力して、配信管理サーバ３に送信する（画面の「送信」ボタンを指定する）。【００９５】（手順ｔ１４）
配信管理サーバ３のアップロード支援プログラム３Ｓ５は、番組登録者の「ＩＤ」と「パスワード」を取得すると、これらのデータが予め開局識別番号管理テーブル３Ｄ１に登録されているか否かをチェックする処理を行う。このチェック処理の結果、登録されている場合には、配信管理データテーブル３Ｄ２を参照して、この「ＩＤ」と「パスワード」が設定されている開局識別番号に付与されているチャンネル番号ｈ２に関して、既にこのチャンネル番号に番組情報の登録が行われているか否かをチェックする。そして、このチェック結果を図１１に示すように、携帯電話機１２に番組一覧画面Ｇ６として表示する処理を行う。【００９６】  番組一覧画面Ｇ６は、開局識別番号に設定されているチャンネル番号ごとに既に番組情報の登録が行われているか否かを表示する画面である。番組登録者は、番組一覧画面Ｇ６の表示内容を確認して、「新番組」と表示されているところに、新しく動画像をアップロードすることができる。なお、図１１に示す例は、当該開局識別番号については３つのチャンネル番号が設定されており、３つのチャンネル番号について動画像のアップロードが行われていないことを示す。動画像のアップロードが行われている場合には、「新番組」の欄に番組タイトルが表示される。【００９７】（手順ｔ１５）
番組登録者は、番組一覧画面Ｇ６の表示内容を確認して、「新番組」と表示されているところを指定（クリック）すると、アップロード支援プログラム３Ｓ５は、図１２に示すように、アップロードする動画像に関する属性データを入力するためのＷｅｂページの画面Ｇ７を携帯電話機１２ａの画面に表示する処理を行う。番組登録者は、図１２に示す画面表示に従って、番組タイトル、配信期間（配信開始日時、配信終了日時）、公開／非公開区分を入力する。【００９８】（手順ｔ１６）
番組登録者は、画面Ｇ７への入力操作が終了すると、「登録」ボタンＧ７ａを指定する。この操作により、入力した属性データは配信管理サーバ３に送信される。そして、アップロード支援プログラム３Ｓ５は、該当するチャンネルに関して、受信したデータを配信管理データテープル３Ｄ２等に登録する処理を行う。さらに、アップロード支援プログラム３Ｓ５は、携帯電話機１２に表示させた画面Ｇ７の表示領域Ｇ７ｂに、この携帯電話機１２に記憶されている動画像データをアップロードする先、すなわち、映像蓄積サーバ６、７のいずれかのＵＲＬを表示する処理を行う。この映像蓄積サーバのＵＲＬは、配信管理データテーブル３Ｄ２の該当するチャンネル番号ｈ２の映像蓄積サーバのＵＲＬｈ８を参照することにより求めることができる。【００９９】（手順ｔ１７）
番組登録者は、携帯電話機１２の画面領域Ｇ７に動画像のアップロード先のＵＲＬが表示されると、携帯電話機１２に記憶されている動画像を添付ファイルとしてこのＵＲＬにメール機能を利用して送信する。これにより、携帯電話機１２に記憶されている動画像を映像蓄積サーバ６、７のいずれかにアップロードすることが可能になる。なお、携帯電話機１２に記憶されている動画像を、一旦、配信管理サーバ３にアップロードし、続いて、映像蓄積サーバ６、７のいずれかにアップロードする処理を行うようにしてもよい。【０１００】  図４に示す配信管理データテープル３Ｄ２のデータ構成例において、チャンネル番号「０１０００」には、例えば、携帯電話機１２からアップロードした動画像のファイル（ｋａｚｏｋｕｔ．３ｇｐ）が登録されていることを示す。【０１０１】（代理店の端末装置１１等からアクセス用チャンネル番号の登録）
続いて、本発明の特徴となる、端末装置１１等から配信管理サーバ３をアクセスして、配信管理データテーブル３Ｄ２にアクセス用チャンネル番号ｈ６を登録する手順について説明する。なお、このアクセス用チャンネル番号ｈ６の登録は、代理店側の端末装置１１の他に、配信管理業者が所有している端末装置５を使用して配信管理業者側からも登録操作が実行できるようにしてもよい。【０１０２】  この端末装置１１等から配信管理サーバ３をアクセスして、配信管理データテーブル３Ｄ２にアクセス用チャンネル番号ｈ６を登録する必要性は前記した通りであるが、このような必要性が生じた番組登録者は、既にチャンネル番号がリースされている場合にはそのチャンネル番号を、また、現在動画像を配信している場合にはその動画像に設定されているアクセス用チャンネル番号ｈ６を、さらに、新たに配信する動画像の配信期間、ファイル名等を代理店側に連絡する。【０１０３】  また、配信管理サーバ３は、配信管理サーバ３をアクセスしてこのアクセス用チャンネル番号ｈ６を登録する操作を行うためのＷｅｂページ（アクセス用チャンネル番号登録Ｗｅｂページ）を、代理店の端末装置１１用に公開するようにする。【０１０４】  代理店の端末装置１１からアクセス用チャンネル番号登録Ｗｅｂページをアクセスして、配信管理データテーブル３Ｄ２に、アクセス用チャンネル番号ｈ６を登録する手順は、次の（１）〜（６）に記載したようになる。
（１）端末装置１１からクセス用チャンネル番号登録Ｗｅｂページをアクセスして、ＩＤとパスワードを入力すると、配信管理サーバ３のアクセス用チャンネル番号登録プログラム３Ｓ６は、端末装置１１の画面に、図１３に示すような入力画面Ｇ８を表示する処理を行う。【０１０５】  （２）代理店側は、この入力画面Ｇ８にチャンネル番号、アクセス用チャンネル番号、映像タイトル名、ファイル名、配信期間を、それぞれの入力欄Ｇ８ａ、Ｇ８ｂ、Ｇ８ｃ、Ｇ８ｄ、Ｇ８ｅの欄に入力する。そして、これらの入力操作が終了すると、登録ボタンＧ８ｆをマウスでクリックする。【０１０６】  上記（２）において、入力欄Ｇ８ｂに入力するアクセス用チャンネル番号は、番組登録者が所有している電話番号にするとよい。この理由は、市外局番を含む所定の桁数から構成される電話番号は固有の番号となるので、この新たなアクセス用チャンネル番号をプログラム処理により生成する必要がなくなるからである。【０１０７】  （３）登録ボタンＧ８ｆがマウスでクリックされると、配信管理サーバ３のアクセス用チャンネル番号登録プログラム３Ｓ６は、端末装置１１から入力されたチャンネル番号、アクセス用チャンネル番号、映像タイトル名、ファイル名、配信期間に関するデータを取得することができる。【０１０８】  （４）配信管理サーバ３のアクセス用チャンネル番号登録プログラム３Ｓ６は、配信管理データテーブル３Ｄ２を検索して、端末装置１１から取得したチャンネル番号と同一のチャンネル番号ｈ２が記憶されている領域を求める。そして、配信管理データテーブル３Ｄ２に、このチャンネル番号ｈ２が検索された場合には、端末装置１１から正しいデータが入力されたと判定して、このチャンネル番号ｈ２を記憶している領域について、端末装置１１から取得したアクセス用チャンネル番号、映像タイトル名、ファイル名、配信期間のデータを、それぞれアクセス用チャンネル番号欄ｈ５、映像タイトル名ｈ７、ファイル名欄ｈ９、配信期間ｈ１０欄に記憶する処理を行う。これにより、アクセス用チャンネル番号欄ｈ５にアクセス用チャンネル番号が既に登録されている場合には、上記（２）により入力した新しいアクセス用チャンネル番号が上書きされて書き換えられることになる。上記した（１）〜（４）の手順は、チャンネル番号書き換え手段となる。【０１０９】  （５）端末装置１１の外部記憶装置に記憶している動画像データを、配信管理データテーブル３Ｄ２の該当するチャンネル番号の映像蓄積サーバのＵＲＬｈ８欄に記憶されているＵＲＬにアップロードする操作を行う。【０１１０】  （６）番組登録者は視聴者に対して、配信管理データテーブル３Ｄ２に新しく登録したこのアクセス用チャンネル番号ｈ５に対応する動画像の配信要求を促進させるためのＷｅｂページを、端末装置８等を利用して公開する。そして、このＷｅｂページには、新しく登録したアクセス用チャンネル番号ｈ５を入力して配信管理サーバに配信要求するための入力フォームも表示する。【０１１１】（視聴者のストリーミング映像の配信要求と視聴）
続いて、視聴者が視聴端末装置１ａ、・・を使用して動画像の配信要求と視聴を行う手順を、図１４に基づいて説明する。【０１１２】（手順ｔ２１）
視聴者は視聴端末装置１ａ、・・等の電源をＯＮして、Ｉｎｔｅｎｅｔ  Ｅｘｐｌｏｒｅｒ（Ｍｉｃｒｏｓｏｆｔ社）等のＷｅｂプラウザを立ち上げる。【０１１３】（手順ｔ２２）
Ｗｅｂプラウザを立ち上げると、例えば、番組登録者がＷｅｂサーバ８、９、・・を利用してインターネット１４に公開している動画像の配信番組表等をアクセスして配信要求を行う。【０１１４】（手順ｔ２３）（手順ｔ２４）
前記したように、本発明においては、配信される動画像は不特定多数の視聴者を対象とする映像と、特定の視聴者を対象とするが映像について配信要求を行うことができる。従って、視聴端末装置１ａ等から不特定多数の視聴者を対象とする映像の配信要求（公開番組の配信要求）を行う場合には、下記の（公開番組の配信要求手段１）または（公開番組の配信要求手段２）を採用することができるようにしている。【０１１５】（公開番組の配信要求手段１）
番組登録者または配信管理者は、Ｗｅｂページを介して、配信する動画像について図１５に示すような配信番組表Ｇ８を公開する。視聴者は視聴端末装置１ａ、・・により配信番組表Ｇ８をアクセスし、表示領域Ｇ８ａ内に表示されている番組タイトル名である「新製品Ａ」、「新製品Ｂ」、「新製品Ｃ」に対応して配置されている「受信」ボタンＧ８ｂ、Ｇ８ｃ、Ｇ８ｄの何れかをマウスでクリックして選択する。この操作により、この選択した動画像の配信要求が配信管理サーバ３に送信されることになる。【０１１６】（公開番組の配信要求手段２）
番組登録者または配信管理者はＷｅｂページを介して、図１６に示すようなアクセス用チャンネル番号による配信要求フォームＧ９を公開する。そして、視聴者は視聴端末装置１ａ、・・にこのフォームＧ９を表示させ、視聴したい動画像に設定されているアクセス用チャンネル番号を入力して「受信」ボタンＧ９ａをマウスでクリックして、配信管理サーバ３に配信要求を行うようにする。なお、この動画像ごとに設定されたアクセス用チャンネル番号を視聴者に広く知らせる手段は、例えば、各番組登録者がインターネット１４上にＷｅｂページにより公開する方法、各種の刊行物等で公開する方法等を採用するとよい。【０１１７】  また、前記したように、コンピュータ読み取り可能な記録媒体１０ａ等に、配信管理サーバ３をアクセスする機能を備えた図１６に示す配信要求フォームＧ９を記憶しておくとよい。そして、コンピュータ読み取り可能な記録媒体１０ａ等を購入した番組登録者は、この配信要求フォームＧ９を、電子メールを利用して視聴者に送信するようにしてもよい。【０１１８】（手順ｔ２５）
視聴端末装置１ａ等から特定の視聴者を対象とする映像の配信要求を行うために、コンピュータ読み取り可能な記録媒体１０ａ等に、配信管理サーバ３をアクセスする機能を備えた図１７に示す配信要求フォームＧ１０を記憶しておく。そして、番組登録者は、電子メール（ＨＴＭＬメール）を利用してこの配信要求フォームＧ１０と、映像識別番号を視聴者に送信するようにする。
そして、視聴者がこの映像識別番号が付与された動画像を視聴するときには、視聴端末装置１ａ、・・にこのフォームＧ１０を表示させて映像識別番号を入力して「受信」ボタンＧ１０ａをマウスでクリックして、配信管理サーバ３に配信要求を行う。【０１１９】（手順ｔ２６）
上記した手順ｔ２４または手順ｔ２５の操作を行うと、配信要求のデータは配信管理サーバ３に送信される。そして、配信管理サーバ３の配信制御プログラム３Ｓ４は、配信要求された動画像を蓄積している映像蓄積サーバ８、９に対してこの映像を視聴端末装置１ａ、・・に配信する制御を行う。これにより、視聴端末装置１ａ、・・は、配信要求した動画像を視聴することができる。なお、前記したように視聴端末装置１ａ、・・には予めストリーミング映像を再生するためのソフトウエアであるＷｉｎｄｏｗｓ  Ｍｅｄｉａ  Ｐｌａｙｅｒ（Ｍｉｃｒｏｓｏｆｔ社）、Ｒｅａｌ  Ｐｌａｙｅｒ（ＲｅａｌＮｅｔｗｏｒｋｓ社）、ＱｕｉｃｋＴｉｍｅ  Ｐｌａｙｅｒ（アップルコンピュータ）等のいずれかがインストールされている必要がある。【０１２０】（配信管理サーバの配信制御）
続いて、視聴端末装置１ａ、・・から動画像の配信要求が発生したときに、配信管理サーバ３の配信制御プログラム３Ｓ４の配信制御について説明する。前記したように、本発明においては、視聴者が配信要求できる動画像は不特定多数の視聴者を対象とした動画像と、特定の視聴者を対象とした動画像について配信要求を行うことができる。【０１２１】  視聴者が不特定多数の視聴者を対象とした動画像の配信要求を行う場合には、前記したように、図１５に示すＷｅｂページにより公開されている配信番組表Ｇ８を利用した配信要求（公開番組の配信要求手段１）、あるいは図１６に示すアクセス用チャンネル番号による配信要求フォームＧ９にアクセス用チャンネル番号を入力することによる配信要求（公開番組の配信要求手段２）の何れかを採用することができる。【０１２２】  上記した公開番組の配信要求手段１を利用した配信を行うと、配信番組表Ｇ８を記述したＨＴＭＬ言語内には、配信管理サーバ３のＵＲＬ、配信要求される動画像に設定されているアクセス用チャンネル番号が埋め込まれている。これにより、視聴者が「受信」ボタンをクリックすると、配信管理サーバ３はこのアクセス用チャンネル番号を取得することができる。
一方、視聴者が公開番組の配信要求手段２を利用した配信を行うと、配信管理サーバ３はアクセス用チャンネル番号による配信要求フォームＧ９から、配信要求された動画像に設定されているアクセス用チャンネル番号を直接取得することができる。【０１２３】  このようにして、配信管理サーバ３は、視聴者端末装置１ａ等から不特定多数の視聴者を対象とした動画像の配信要求を受信すると、配信要求された動画像に設定されているアクセス用チャンネル番号を取得することができる。配信管理サーバ３の配信制御プログラム３Ｓ４は、このアクセス用チャンネル番号を取得すると次のような（配信制御１）〜（配信制御４）の処理を実行して、配信要求を行った視聴者端末装置１ａ等に動画像の配信を行う。【０１２４】（配信制御処理１）
取得したアクセス用チャンネル番号について、このアクセス用チャンネル番号が配信管理データテーブル３Ｄ２のアクセス用チャンネル番号欄ｈ５に登録されているか否かをチェックする。なお、取得したアクセス用チャンネル番号が配信管理データテーブル３Ｄ２に登録されていないときには、視聴端末装置１ａ等にエラー表示を行うようにする。【０１２５】（配信制御処理２）
取得したアクセス用チャンネル番号が配信管理データテーブル３Ｄ２に登録されている場合には、このアクセス用チャンネル番号について、配信要求を受信した本日の日時（配信要求日時）が配信管理データテーブル３Ｄ２に登録されている配信期間ｈ１０の範囲に含まれているか否かをチェックする。なお、配信要求日時が配信管理データテーブル３Ｄ２に登録されている配信期間ｈ１０を満足していないときには、視聴端末装置１ａ等にエラー表示を行うようにする。【０１２６】（配信制御処理３）
上記（配信制御処理２）により、配信要求日時が予めチャンネル番号管理テーブル３Ｄ２に登録されている配信期間ｈ１０を満足していると判定された場合には、このアクセス用チャンネル番号について、配信管理データテーブル３Ｄ２に登録されている映像蓄積サーバのＵＲＬｈ８、ファイル名ｈ９を求める。【０１２７】（配信制御処理４）
上記（配信制御処理３）により配信要求されたストリーミング映像を蓄積する映像蓄積サーバ６、７のいずれかのＵＲＬｈ８とストリーミング映像のファイル名ｈ９を求めることができると、配信制御プログラム３Ｓ４は求めたこのＵＲＬの映像蓄積サーバに対して、配信要求を行った視聴端末装置１ａ等にこの動画像の配信を行うように制御する。上記した（配信制御処理１）〜（配信制御処理４）により、視聴端末装置１ａ等は、配信要求した動画像を視聴することが可能になる。【０１２８】  続いて、視聴者が特定の視聴者を対象とした動画像の配信要求を行ったときの、配信管理サーバ３の配信制御について説明する。
視聴者が特定の視聴者を対象としたストリーミング映像の配信要求、すなわち、図１７に示す「映像識別番号による配信要求フォーム」Ｇ１０を使用して配信要求を行った場合、配信制御プログラム３Ｓ４は、次の（配信制御処理５）〜（配信制御処理７）を行って、配信要求を行った視聴端末装置１ａ等にストリーミング映像の配信処理を行う。【０１２９】（配信制御処理５）
「映像識別番号による配信要求フォーム」Ｇ１０により入力された映像識別番号を取得すると、この取得した映像識別番号が配信管理データテーブル３Ｄ２の映像識別番号欄ｈ８に登録されているか否かをチェックする処理を行う。なお、取得した映像識別番号が配信管理データテーブル３Ｄ２に登録されていないときには、視聴端末装置１ａ等にエラー表示を行うようにする。【０１３０】（配信制御処理６）
上記（配信制御処理５）で、取得した映像識別番号が配信管理データテーブル３Ｄ２に登録されている場合には、正しい映像識別番号に基づいた配信要求が行われたと判定する。続いて、この映像識別番号について配信要求日時が配信管理データテーブル３Ｄ２に登録されている配信期間ｈ１０を満足しているかを判定する処理を行う。なお、配信要求日時が配信管理データテーブル３Ｄ２に登録されている配信期間ｈ１０を満足していないときには、視聴端末装置１ａ等にエラー表示を行うようにする。【０１３１】（配信制御処理７）
上記（配信制御処理６）により、配信期間ｈ１０を満足していると判定された場合には、この映像識別番号に対応して配信番号管理テーブル３Ｄ２に登録されている映像蓄積サーバのＵＲＬｈ８、ファイル名ｈ９を求める。これにより、上記（配信制御処理４）と同様に、映像蓄積サーバ６、７の何れかに蓄積されている動画像を視聴端末装置１ａ等に配信する制御を行うことができる。【０１３２】（携帯電話機による配信要求と視聴）
本発明の動画像配信システムは、視聴者の携帯電話機２を用いて動画像の配信要求と視聴も行うことができる。ただし、このような動画像の視聴が可能な携帯電話機は、前記した３ＧＰＰの仕様に準拠した機能（ＭＰＥＧ−４により圧縮された動画像の再生）を備えている必要がある。さらに、携帯電話機２は、インターネット接続機能を備えている必要がある。【０１３３】  なお、携帯電話機２からの配信要求とこの携帯電話機２への配信処理を行うためには、配信管理サーバ３は、次の機能を備えておく必要がある。
すなわち、端末装置８、９および配信管理サーバ３等は、携帯電話機２からの配信要求を受け付けるための携帯電話機用のＷｅｂページをインターネット１４上に公開する。このＷｅｂページは、前記した図１５に示すＷｅｂページ、図１６に示すアクセス用チャンネル番号による配信要求フォーム、図１７に示す映像識別番号による配信要求フォーム等を、携帯電話機用に作成する。配信管理サーバ３は、これらのフォームを使用した携帯電話機２からの配信要求を受信すると、配信制御プログラム３Ｓ４は前記と同様の配信制御により、配信管理データテーブル３Ｄ２を参照して携帯電話機２にストリーミング映像を配信することができる。【０１３４】  なお、配信管理データテーブル３Ｄ２に登録されているファイル名ｈ９の拡張子には、携帯電話機で撮像した動画像に対してはＭＰＥＧ−４で圧縮したことを示す拡張子名が付与されている。これにより、配信制御プログラム３Ｓ４は、配信管理データテーブル３Ｄ２を参照して携帯電話機２に配信するファイル名を検索することができるので、映像蓄積サーバ６、７のいずれかに蓄積されているこのファイル名と拡張子が付与された動画像を配信要求した携帯電話機２に配信することが可能になる。【０１３５】  さらに、本発明においては、番組登録者が端末装置８、９を使用して映像をアップロードするときに、この映像データをＭＰＥＧ−４で圧縮し、かつこの圧縮したデータ容量が５００ＫＢ程度になるように編集して映像蓄積サーバ６、７のいずれかにアップロードするようにする。【０１３６】  以上に説明した本発明の実施形態においては、番組登録者が端末装置８、９等を使用して配信したい動画像のデータを映像蓄積サーバ６、７等にアップロードする操作を行う例について説明したが、本発明においては、配信管理業者が端末装置５、あるいは代理店側が端末装置１１を使用して動画像を映像蓄積サーバ６、７等にアップロードする操作を行うようにしてもよい。特に、コンピュータ読み取り可能な記録媒体１０ａ等の購入者が個人であって、パソコン操作の知識が乏しい場合には、配信管理業者またはその代理店側がアップロードする操作を行うようにするとよい。
【図面の簡単な説明】
【０１３７】
【図１】  本発明の動画像映像配信システムについて、システム構成の一例を説明するための図である。
【図２】  図１に示す配信管理サーバについて、ソフトウエア部とデータベース部の構成例を説明するための図である。
【図３】  図１に示す配信管理サーバが備えている開局識別番号管理データテーブルのデータ構成の一例を説明するための図である。
【図４】  図１に示す配信管理サーバが備えている配信管理データテーブルのデータ構成の一例を説明するための図である。
【図５】  番組登録者が動画像のデータをアップロードするときの手順を説明するための図である。
【図６】  番組登録者が端末装置を用いて開局申請を行うときに表示される画面例を説明するための図である。
【図７】  番組登録者が端末装置を用いて開局申請を行うときに、開局申請者に関する属性データを入力する画面例を説明するための図である。
【図８】  図７に示す画面の入力により開局申請が正常に終了したときに表示される画面例を説明するための図である。
【図９】  番組登録者が端末装置を用いて動画像データをアップロードするときに表示される画面例を説明するための図である。
【図１０】  番組登録者が端末装置を用いて動画像をアップロードするときに、この動画像に関する属性データを入力する画面例を説明するための図である。
【図１１】  携帯電話機で撮像した動画像をアップロードするときに、携帯電話機の画面に表示される画面例を説明するための図である。
【図１２】  携帯電話機で撮像した動画像をアップロードするときに、この動画像に関する属性データを入力する画面例を説明するための図である。
【図１３】  端末装置からアクセス用チャンネル番号を登録するときに画面例を説明するための図である。
【図１４】  視聴者がストリーミング映像の配信要求を行うときの手順を説明するための図である。
【図１５】  Ｗｅｂページに公開されるストリーミング映像の配信番組表の一例を説明するための図である。
【図１６】  アクセス用チャンネル番号により配信要求を行うときの入力フォームの一例を説明するための図である。
【図１７】  映像識別番号により配信要求を行うときの入力フォームの一例を説明するための図である。
【符号の説明】
【０１３８】  １ａ、１ｂ：視聴端末装置（パーソナルコンピュータ）
２    ：携帯電話機
３    ：配信管理サーバ
３Ｄ  ：データベース部
３Ｄ１：開局識別番号管理データテーブル
３Ｄ２：配信管理データテーブル
３Ｓ  ：ソフトウエア部
３Ｓ４：配信制御プログラム
３Ｓ５：アップロード支援プログラム
３Ｓ６：アクセス用チャンネル番号登録プログラム
６、７：映像蓄積サーバ
８、９：番組登録者の端末装置
１０ａ、１０ｂ：コンピュータ読み取り可能な記録媒体
１２  ：携帯電話機
１４  ：インターネット
【図１】
2007006431.tif 000003
【図２】
2007006431.tif 000004
【図３】
2007006431.tif 000005
【図４】
2007006431.tif 000006
【図５】
2007006431.tif 000007
【図６】
2007006431.tif 000008
【図７】
2007006431.tif 000009
【図８】
2007006431.tif 000010
【図９】
2007006431.tif 000011
【図１０】
2007006431.tif 000012
【図１１】
2007006431.tif 000013
【図１２】
2007006431.tif 000014
【図１３】
2007006431.tif 000015
【図１４】
2007006431.tif 000016
【図１５】
2007006431.tif 000017
【図１６】
2007006431.tif 000018
【図１７】
2007006431.tif 000019